(57)【要約】  フィルタに関するデジタル係数を生成するための方法及びシステムが提供される。係数の前記生成は、ゼロがパディングされる時間領域のインパルス応答のフーリエ変換に依存し、例えば長さＭのサンプリングされた入力信号に対応するアレイにゼロが添付される。長さＮＦＦＴ＝Ｎｓ＋Ｍ−１の周波数領域応答を通じてユニットプロトタイプフィルタが生成され、Ｎｓは、着信信号のサンプリング長である。次に、希望される周波数にセンタリングされた帯域通過フィルタを生成するために前記ユニットプロトタイプフィルタが循環シフトされる。循環シフトされたフィルタは、ポイント・ツー・ポイントで加えられて前記着信信号をフィルタリングするための一組の複合デジタル係数が生成される。前記複合フィルタに関する基準周波数が、１つ以上のサービスプロバイダと関連づけられた１つ以上の基地局から受信されたメッセージから抽出される。前記複合フィルタは、典型的には周波数中継器において動作する。
2010521104.tif 000002
【特許請求の範囲】
【請求項１】
無線環境において利用されるデジタルフィルタ係数を生成するための方法であって、
時間領域内のＭサンプルインパルス応答にゼロを添付して長さがＮＦＦＴのゼロがパディングされたインパルス応答を生成することであって、Ｍ及びＮＦＦＴは正の整数であることと、
前記ＮＦＦＴの長さのゼロがパディングされたインパルス応答をフーリエ変換することと、
前記フーリエ変換されたゼロがパディングされたインパルス応答の循環シフトを行うことと、
周波数領域において一組の循環シフトされた、フーリエ変換されたゼロがパディングされたインパルス応答を加えて一組の複合デジタルフィルタ係数を生成すること、とを備える、方法。
【請求項２】
周波数領域において一組の循環シフトされた、フーリエ変換されたゼロがパディングされたインパルス応答を加えて複合デジタルフィルタ係数を生成することと、
前記周波数領域複合デジタルフィルタ係数の逆フーリエ変換を行って複合時間領域デジタルフィルタインパルス応答を得ること、とをさらに備える請求項１に記載の方法。
【請求項３】
前記生成されたフィルタ係数を周波数ビン乗算器ブロックに搬送することをさらに備える請求項１に記載の方法。
【請求項４】
前記生成されたデジタルフィルタ係数を中継されるべき信号ブロックの一組の周波数領域ビンに適用することをさらに備える請求項３に記載の方法。
【請求項５】
時間領域において前記Ｍビンインパルス応答を生成することをさらに備える請求項１に記載の方法。
【請求項６】
Ｎｓの時間領域信号サンプルにゼロを添付してゼロがパディングされた時間サンプルのＮＦＦＴブロックを形成することによって信号ブロックの一組の周波数領域ビンを生成することであって、Ｎｓ及びＮＦＦＴは正の整数であることと、
前記ゼロがパディングされた時間サンプルのフーリエ変換を行って一組の周波数領域ビンを生成すること、とを備える請求項４に記載の方法。
【請求項７】
ＮＦＦＴは、Ｍ＋Ｎｓ−１と等しいかそれよりも大きい請求項６に記載の方法。
【請求項８】
前記生成された複合デジタルフィルタ係数は、中継されるべき予め決められた一組の周波数をフィルタリングするように設計される請求項４に記載の方法。
【請求項９】
前記Ｍサンプルインパルス応答は、少なくとも１つの産業標準の波形プロパティに一致するように設計される請求項８に記載の方法。
【請求項１０】
中継されるべき前記周波数の組は、サービスプロバイダの動作帯域内の一組の副帯域を備える請求項９に記載の方法。
【請求項１１】
中継されるべき前記周波数の組は、前記サービスプロバイダと関連づけられた一組の予め決められた周波数を備える請求項９に記載の方法。
【請求項１２】
中継されるべき前記周波数の組は、次の動作、すなわち、
前記周波数の組の表示を搬送するメッセージを受信すること、
前記メッセージ内の前記表示から前記周波数の組を抽出することを行うことによって決定される請求項８に記載の方法。
【請求項１３】
前記メッセージは、ブロードキャストチャネル又は管理フレーム、又は指示されたメッセージ、又は短メッセージサービスメッセージのうちの少なくとも１つである請求項１１に記載の方法。
【請求項１４】
中継されるべき前記周波数の組は、前記セルラー信号のセル探索において取得される請求項８に記載の方法。
【請求項１５】
前記セル探索は、中継器内に常駐するモデムによって行われる請求項１２に記載の方法。
【請求項１６】
前記予め決められた周波数の組は、前記周波数中継器内に格納される請求項１５に記載の方法。
【請求項１７】
前記生成されたフィルタマスクを中継器内に格納することをさらに備える請求項３に記載の方法。
【請求項１８】
無線デバイスであって、
時間領域においてＭサンプルインパルス応答を生成し、アレイパディング動作を実行し、前記Ｍビンインパルス応答又はＮＦＦＴビン周波数シーケンスのうちの少なくとも１つのフーリエ変換を計算し、ＮＦＦＴビンフーリエ変換されたインパルス応答の循環シフトを行い、一組のフーリエ変換されたゼロがパディングされたインパルス応答を加え、前記加えられたフーリエ変換されたインパルス応答を利用して複合マスクフィルタを生成するように構成されたプロセッサであって、Ｍは正の整数であり、ＮＦＦＴは正の整数であるプロセッサと、
前記プロセッサに結合されたメモリと、を備える、無線デバイス。
【請求項１９】
前記プロセッサは、前記生成されたフィルタマスクを周波数ビン乗算器ブロックに伝えるようにさらに構成される請求項１８に記載のデバイス。
【請求項２０】
前記プロセッサは、前記生成されたフィルタマスクを中継されるべき信号ブロックの一組の周波数領域ビンに適用するようにさらに構成される請求項１９に記載のデバイス。
【請求項２１】
中継されるべき前記信号ブロックは、サービスプロバイダの動作帯域内の一組の副帯域を備える請求項２０に記載のデバイス。
【請求項２２】
前記副帯域の組は、前記サービスプロバイダと関連づけられた一組の予め決められた周波数を備える請求項２１に記載のデバイス。
【請求項２３】
前記副帯域の組は、次の動作、すなわち、
前記周波数の組の表示を搬送するメッセージを受信すること、
前記メッセージ内の前記表示から前記周波数の組を抽出することを行うことによって決定される請求項２１に記載のデバイス。
【請求項２４】
前記プロセッサは、前記生成された複合フィルタ係数の組を格納するようにさらに構成される請求項１７に記載のデバイス。
【請求項２５】
無線環境において動作する装置であって、
時間領域においてＭビンインパルス応答をＮＦＦＴビンの長さまでゼロをパディングするための手段であって、Ｍ及びＮＦＦＴは正の整数である手段と、
前記ＮＦＦＴビンのゼロがパディングされたインパルス応答をフーリエ変換するための手段と、
前記フーリエ変換されたゼロがパディングされたインパルス応答の循環シフトを行うための手段と、
周波数領域において一組の循環シフトされた、フーリエ変換されたゼロがパディングされたインパルス応答を加えてフィルタマスクを生成するための手段と、
前記生成されたフィルタマスクを周波数ビン乗算器ブロックに搬送するための手段と、
前記生成されたフィルタマスクを中継されるべき信号ブロックの一組の周波数領域ビンに適用するための手段と、を備える、装置。
【請求項２６】
コンピュータプログラム製品であって、
時間領域においてＭビンインパルス応答をＮＦＦＴビンの長さまでパディングすることをコンピュータに行わせるための符号であって、Ｍ及びＮＦＦＴは正の整数である符号と、
前記ＮＦＦＴビンのゼロがパディングされたインパルス応答をフーリエ変換することをコンピュータに行わせるための符号と、
前記フーリエ変換されたゼロがパディングされたインパルス応答の循環シフトを行うことをコンピュータに行わせるための符号と、
周波数領域において一組の循環シフトされた、フーリエ変換されたゼロがパディングされたインパルス応答を加えてフィルタマスクを生成することをコンピュータに行わせるための符号と、
前記生成されたフィルタマスクを中継されるべき信号ブロックの一組の周波数領域ビンに適用することをコンピュータに行わせるための符号と、を含むコンピュータによって読み取り可能な媒体を備える、コンピュータプログラム製品。
【発明の詳細な説明】
【技術分野】
【０００１】
優先権の主張
本特許出願は、“ADAPTIVE SAME FREQUENCY REPEATER TECHNIQUES”（適応同一周波数中継器技法）という題名を有し、参照されることによって全体がここに組み入れられている、米国仮特許出願一連番号６０／９０４，３６８（出願日：２００７年３月２日）に対する優先権を主張するものである。
【背景技術】
【０００２】
従来は、無線通信ネットワーク、例えば、時分割複信（ＴＤＤ）、周波数分割複信（ＦＤＤ）ワイヤレス−フィデリティ（Ｗｉ−Ｆｉ）、全世界マイクロ波アクセス相互運用性（Ｗｉ−ｍａｘ）、セル方式グローバル移動体通信システム（ＧＳＭ）、符号分割多元接続（ＣＤＭＡ）、３Ｇに基づく無線ネットワーク等、のカバレッジエリアは、中継器によって拡大することができる。典型的中継器は、例えば、開放型システム間相互接続基本参照モデル（ＯＳＩモデル）によって定義された物理層又はデータリンク層において動作する周波数変換中継器又は同一周波数中継器を含む。
【０００３】
物理層中継器は、“同一周波数”又は“周波数変換”デバイスに分類することができる。中継器がどこに配備されることになるかということに関連するネットワークアーキテクチャが、使用される中継器の型を大きく左右する。同一周波数中継器が用いられる場合は、中継器が同じ周波数において同時並行して受信及び送信することを要求する。従って、中継器は、様々なアンテナ及びデジタル／アナログキャンセル技法を用いて受信機と送信機との間の分離を達成させなければならない。周波数変換中継器が用いられる場合は、中継器は、第１の周波数チャネルにおいて信号を受信し、次に同時並行して送信するためにその信号を第２の周波数チャネルに変換する。この方法により、周波数分離を通じて送信機と受信機との間の分離がある程度達成される。好ましいことに、製造コストの低減、設置しやすさ、等を達成するために中継器回路に加えて受信及び送信用のアンテナも同じパッケージに含められる。これは、中継器を、形状要因及び設置しやすさが重要な考慮事項である住宅又は小さい事務所用のデバイスとして用いることが消費者によって意図されている場合に特に当てはまる。該デバイスにおいては、通常は１本のアンテナ又は一組のアンテナが基地局、アクセスポイント、ゲートウェイの方を向き、他のアンテナ又は他の一組のアンテナが加入者デバイスの方を向く。
【０００４】
同時並行して受信及び送信する中継器の場合は、受信アンテナと送信アンテナを分離することが、中継器の全体的性能における１つの重要要因であり、これは、同じ周波数に中継するか又は異なる周波数に中継するかにかかわらず当てはまる。より具体的には、受信機アンテナ及び送信機アンテナが適切に分離されていない場合は、中継器の性能が有意な量だけ低下する可能性がある。一般的には、中継器の発振又は初期感度低下を防止するために中継器の利得は分離よりも大きくすることはできない。分離は、一般的には、物理的分離、アンテナパターン、又は偏波によって達成される。周波数変換中継器の場合は、帯域通過フィルタリングを利用して追加の分離を達成することができるが、アンテナ分離は、一般的には、望ましくない雑音及び送信機からの帯域外放出が受信アンテナの帯域内周波数範囲内おいて受信されることに起因して中継器の性能における１つの制限要因になっている。受信機と送信機との間のアンテナ分離は、中継器が同じ周波数において動作中でありさらに帯域通過フィルタリングが追加の分離を提供しない場合はさらに重大な問題である。
【０００５】
セル方式のシステムは、利用可能な認可スペクトルが制限されており、周波数変換中継手法を利用することができず、従って同じ受信及び送信周波数チャネルを利用する中継器を用いることがしばしばある。
【０００６】
上述されるように、消費者とともに用いられることが意図される中継器の場合は、さらなるコスト低減、設置しやすさ、等を達成させるために物理的に小型の形状を有する中継器を製造するのが好ましい。しかしながら、小型形状は、アンテナが非常に近接して配置されそれによって上述される分離問題を悪化させる可能性がある。
【０００７】
現在の中継器は、自己の送信機からの漏れを中継したい信号から分離することができないという点でさらなる重要な欠点を有する。その結果、従来の中継器は、典型的には、システム分離及び性能をリアルタイムで最適化することができず、その結果動作不良になるか又は全体的ネットワーク性能に対して破壊的影響を及ぼすことになる。具体的には、現在の方法は、中継器が一般的に動作するのを可能にする一方で中継器環境における望ましくない信号の適応キャンセルを考慮してない。その代わりに、現在の中継器配備は、コスト及び複雑さに起因してキャンセルループが制限されており、個別の実装であり、一般的にはサブバンドフィルタリングのない単一帯域システムにおいて配備される。さらに、現在の干渉キャンセルループ配備は、マルチパス遅延を想定しており、散乱信号における過度の又は整合性のない遅延、信号における遅延変化（例えば、ドップラー）、及び広帯域信号（例えば、ＩＣ帯域幅）に関する制限されたキャンセルを被る。
【０００８】
上記により、既存の方法の欠点を克服するためのシステム及び方法の必要性が存在することが直ちに明確になる。
【発明の概要】
【０００９】
この概要は、以下の発明を実施するための形態においてさらに詳細に説明される一組の概念を簡略化された形で紹介することを目的として提供される。この概要は、請求される主題の重要な特徴又は不可欠な特徴を特定することは意図されておらず、さらに請求される主張の適用範囲を制限するために用いられることも意図されていない。
【００１０】
本件特許明細書は、フィルタに関するデジタル係数を生成するための方法及びシステムを説明する。係数の生成は、ゼロがパディングされる（zero padded）時間領域のインパルス応答のフーリエ変換に依存し、例えば、例えば長さＭのサンプリングされた入力信号に対応するアレイにゼロが添付される。長さＮＦＦＴ＝Ｎｓ＋Ｍ−１の周波数領域応答を通じてユニットプロトタイプフィルタが生成され、Ｎｓは、着信信号のサンプリング長である。次に、希望される周波数にセンタリングされた帯域通過フィルタを生成するために前記ユニットプロトタイプフィルタが循環シフトされる。循環シフトされたフィルタは、ポイント・ツー・ポイントで加えられて前記着信信号をフィルタリングするための一組の複合デジタル係数が生成される。前記複合フィルタに関する基準周波数が、１つ以上のサービスプロバイダと関連づけられた１つ以上の基地局から受信されたメッセージから抽出される。前記複合フィルタは、典型的には周波数中継器において動作する。
【００１１】
ここにおいて説明される一側面においては、無線環境において利用されるデジタルフィルタ係数を生成するための方法が開示され、前記方法は、時間領域においてＭサンプルインパルス応答にゼロを添付して長さがＮＦＦＴの、ゼロがパディングされた（zero padded）インパルス応答を生成することであって、Ｍ及びＮＦＦＴは正の整数であることと、前記ＮＦＦＴの長さの、ゼロがパディングされたインパルス応答をフーリエ変換することと、前記フーリエ変換されたゼロがパディングされたインパルス応答の循環シフトを行うことと、周波数領域において一組の循環シフトされた、フーリエ変換されたゼロがパディングされたインパルス応答を加えて一組の複合デジタルフィルタ係数を生成すること、とを備える。
【００１２】
他の側面においては、本件の革新は、時間領域においてＭサンプルインパルス応答を生成し、アレイパディング（array padding）動作を行い、前記Ｍビンインパルス応答又はＮＦＦＴビン周波数シーケンスのうちの少なくとも１つのフーリエ変換を計算し、ＮＦＦＴビンフーリエ変換されたインパルス応答の循環シフトを行い、一組のフーリエ変換されたゼロがパディングされたインパルス応答を加え、前記加えられたフーリエ変換されたインパルス応答を利用して複合マスクフィルタを生成するように構成されたプロセッサであって、Ｍは正の整数であり、ＮＦＦＴは正の整数であるプロセッサ、及び前記プロセッサに結合されたメモリを開示する。
【００１３】
無線環境において動作する装置であって、前記装置は、時間領域においてＮＦＦＴビンの長さまでＭビンインパルス応答にゼロをパディングするための手段であって、Ｍ及びＮＦＦＴは正の整数である手段と、前記ＮＦＦＴビンゼロがパディングされたインパルス応答をフーリエ変換するための手段と、前記フーリエ変換されたゼロがパディングされたインパルス応答の循環シフトを行うための手段と、周波数領域において一組の循環シフトされた、フーリエ変換されたゼロがパディングされたインパルス応答を加えてフィルタマスクを生成するための手段と、前記生成されたフィルタマスクを周波数ビン乗算器ブロックに搬送するための手段と、前記生成されたフィルタマスクを中継されるべき信号ブロックの一組の周波数領域ビンに適用するための手段と、を備える。
【００１４】
コンピュータプログラム製品であって、時間領域においてＭビンインパルス応答をＮＦＦＴビンの長さまでゼロをパディングすることをコンピュータに行わせるための符号であって、Ｍ及びＮＦＦＴは正の整数である符号と、前記ＮＦＦＴビンのゼロがパディングされたインパルス応答をフーリエ変換することをコンピュータに行わせるための符号と、前記フーリエ変換されたゼロがパディングされたインパルス応答の循環シフトを行うことをコンピュータに行わせるための符号と、周波数領域において一組の循環シフトされた、フーリエ変換されたゼロがパディングされたインパルス応答を加えてフィルタマスクを生成することをコンピュータに行わせるための符号と、前記生成されたフィルタマスクを中継されるべき信号ブロックの一組の周波数領域ビンに適用することをコンピュータに行わせるための符号と、を含むコンピュータによって読み取り可能な媒体を備える、コンピュータプログラム製品。
【００１５】
以下の説明及び添付図は、主題の一定の例示的側面について詳細に説明するものである。しかしながら、これらの側面は、主題を採用できる様々な方法のうちの幾つかを示すにすぎず、請求される主題は、すべてのこれらの側面及びその同等の側面を含むことが意図される。
【図面の簡単な説明】
【００１６】
【図１】ここにおいて説明される側面による例示的中継器の典型的エンクロージャのブロック図である。
【図２】ここにおいて説明される側面によるフィードバックキャンセルを行う典型的ＲＦ中継器に関する典型的信号伝搬のブロック図である。
【図３】ここにおいて説明される側面による典型的アンテナ中継器構成要素のブロック図である。
【図４】ここにおいて説明される側面による典型的中継器構成要素のブロック図である。
【図５】ここにおいて説明される側面による例示的ＲＦ中継器の典型的構成要素の協力のブロック図である。
【図６】ここにおいて説明される側面による例示的ＲＦ中継器の典型的構成要素の協力の他のブロック図である。
【図７】ここにおいて説明される側面によるデュアルバンドアレイを有する周波数分割複信（ＦＤＤ）中継器のブロック図である。
【図８】ここにおいて説明される側面によるデジタル干渉キャンセルシステムを有する典型的ＦＤＤ単一帯域中継器のブロック図である。
【図９】ここにおいて説明される側面によるデジタル干渉キャンセルシステム及びアレイを有する典型的ＦＤＤ単一帯域中継器のブロック図である。
【図１０】ここにおいて説明される側面によるフィルタリング及び中継されるべき周波数プロフィールの構成を容易にするシステム例のブロック図である。
【図１１】本件特許明細書において説明される方法例の実装を容易にする中継器プラットフォーム例１０４０の機能上の構成要素の相互関係を示したブロック図である。
【図１２】ここにおいて説明される側面によるデジタルフィルタマスク生成に関して利用することができる周波数プロフィールを示した図である。
【図１３】構成された周波数プロフィールに基づくデジタルフィルタマスクによる入力信号の分解を示したブロック図である。
【図１４】ここにおいて説明される側面により生成されたデジタルフィルタマスク例、又は一組のデジタル係数を示した図である。
【図１５】本件特許明細書において説明される側面による周波数中継器を構成するための方法例の流れ図である。
【図１６】一組のプロトタイプのデジタルフィルタ係数を生成するための方法例の流れ図である。
【図１７】データストリームをフィルタリングするための方法例の流れ図である。
【図１８】周波数中継器の構成を容易にするシステム例を示した図である。
【発明を実施するための形態】
【００１７】
本開示は、２００８年３月３日に出願された次の米国特許出願、すなわち、
“PHYSICAL LAYER REPEATER UTILIZING REAL TIME MEASUREMENT METRICS AND ADAPTIVE ANTENNA ARRAY TO PROMOTE SIGNAL INTEGRITY AND AMPLIFICATION”（信号の完全性及び増幅を向上させるためにリアルタイム測定メトリック及び適応アンテナアレイを利用する物理層中継器）、Ａｔｔｏｒｎｅｙ  Ｄｏｃｋｅｔ  Ｎｕｍｂｅｒ０８０６０３Ｕ１、一連番号ＸＸ／ＸＸＸ，ＸＸＸ；“CLOSED FORM CALCULATION OF TEMPORAL EQUALIZER WEIGHTS USED IN A REPEATER TRANSMITTER LEAKAGE CANCELLATION SYSTEM”（中継器送信機漏れキャンセルシステムにおいて用いられる時間等化器重みの閉形式計算）、Ａｔｔｏｒｎｅｙ  Ｄｏｃｋｅｔ  Ｎｏ．０８０６０３Ｕ２、一連番号ＸＸ／ＸＸＸ，ＸＸＸ；“USE OF A FILTERBANK IN AN ADAPTIVE ON-CHANNEL REPEATER UTILIZING ADAPTIVE ANTENNA ARRAYS”（適応アンテナアレイを利用する適応オンチャネル中継器におけるフィルタバンクの使用）、ＡｔｔｏｒｎｅｙＤｏｃｋｅｔ  Ｎｏ．０８０６０３Ｕ３、一連番号ＸＸ／ＸＸＸ，ＸＸＸ；“USE OF ADAPTIVE ANTENNA ARRAY IN CONJUNCTION WITH AN ON-CHANNEL REPEATER TO IMPROVE SIGNAL QUALITY”（信号品質を向上させるためのオンライン中継器と連携した適応アンテナアレイの使用）、Ａｔｔｏｒｎｅｙ Ｄｏｃｋｅｔ  Ｎｏ．０８０６０３Ｕ４、一連番号ＸＸ／ＸＸＸ，ＸＸＸ；“AUTOMATIC GAIN CONTROL AND FILTERING TECHNIQUES FOR USE IN ON-CHANNEL REPEATER”（オンチャネル中継器において用いるための自動利得制御及びフィルタリング技法）、Ａｔｔｏｒｎｅｙ Ｄｏｃｋｅｔ  Ｎｏ．０８０６０３Ｕ５、一連番号ＸＸ／ＸＸＸ，ＸＸＸ；及び“CONFIGURATION OF A REPEATER”（中継器構成）、Ａｔｔｏｒｎｅｙ Ｄｏｃｋｅｔ  Ｎｏ．０８０６０３Ｕ６、一連番号ＸＸ／ＸＸＸ，ＸＸＸ、に関連し、各々の特許出願の内容は、その全体が参照されることによってここによって組み入れられている。
【００１８】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１９】
さらに、本発明の様々な側面が以下において説明される。ここにおける教示は非常に様々な形態で具現化できること及びここにおいて開示される特定の構造及び／又は機能は単なる代表例であるにすぎないことが明確なはずである。ここにおける教示に基づき、当業者は、ここにおいて開示される側面はその他の側面と無関係に実装できること及びこれらの側面のうちの２つ以上を様々な方法で組み合わせることができることを明確に理解すべきである。例えば、ここにおいて詳述される側面のうちのあらゆる数の側面を用いて装置を実装することができ及び／又は方法を実践することができる。さらに、ここにおいて詳述される側面のうちの１つ以上に加えての又はそれ以外のその他の構造及び／又は機能を用いて装置を実装でき及び／又は方法を実践することができる。一例として、ここにおいて説明される方法、デバイス、システム及び装置の多くは、Ｗ−ＣＤＭＡ通信システムにおいてアップリンクパイロット信号をブーストすることに関して説明される。この発明は、ＣＤＭＡ−２０００等のその他の基準、及び現在開発中のＯＦＤＭに基づくシステム、例えばＬＥＴ及びＵＭＢ、に対しても等しく適用される。当業者は、同様の技法をその他の通信環境に適用可能であることを明確に理解すべきである。
【００２０】
この出願において用いられる“構成要素”、“モジュール”、“システム”、等の用語は、ハードウェア、ファームウェア、ハードウェアとソフトウェアの組み合わせ、ソフトウェア、実行中のソフトウェア、ファームウェア、ミドルウェア、マイクロコード、及び／又はその組み合わせ、のいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。例として、制限することなしに、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と対話中の及び／又はインターネット等のネットワークを通じて信号を用いてその他のシステムと対話中の構成要素からのデータ）を有する信号に従って通信することができる。さらに、当業者によって明確に理解されるように、ここにおいて説明されるシステムの構成要素は、それに関して説明される様々な側面、目標、利点、等を達成するのを容易にするために再配置すること及び／又は追加の構成要素によって補完することができ、さらに、所定の図において示される精密な構成に限定されない。
【００２１】
さらに、ここにおいては、様々な実施形態が無線端末又はユーザー装置（ＵＥ）と関係させて説明される。無線端末又はＵＥは、システム、加入者ユニット、加入者局、移動局、モバイル、モバイルデバイス、遠隔局、遠隔端末、ＵＥ、ユーザー端末、端末、無線通信デバイス、ユーザーエージェント、ユーザーデバイスと呼ぶことも可能である。無線端末又はＵＥは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、無線端末と通信するために利用することができ、アクセスポイント、ノードＢ、又はその他の用語で呼ぶことも可能である。
【００２２】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。さらに、音声メールを送信及び受信する際、セルラーネットワーク等のネットワークにアクセスする際、又は指定された機能を果たすようにデバイスに命令する際に用いられるようなコンピュータによって読み取り可能な電子データ又は命令を搬送するために搬送波を採用できることが明確に理解されるべきである。従って、“機械によって読み取り可能な媒体”という表現は、命令及び／又はデータを格納、内蔵、及び／又は搬送することができる様々な物理的媒体を意味する（ただし、真空は意味しない）。さらに、ここにおいて説明されるシステム及び方法は、命令及び／又はデータを格納、内蔵、及び／又は搬送することができる無線チャネルの一部として機械によって読み取り可能な媒体として採用することができる。当然のことであるが、当業者は、ここにおいて説明されて請求される発明の適用範囲又は精神を逸脱せずに開示される実施形態に対して数多くの変更を行うことが可能であることを認識するであろう。
【００２３】
さらに、“典型的な”という表現は、ここでは、“１つの例、事例、又は実例”を意味するために用いられる。ここにおいて“典型的な”として説明されるいずれの側面又は設計も、その他の側面又は設計よりも好ましい又は有利であるとは必ずしも解釈すべきではない。むしろ、典型的という表現の使用は、概念を具体的に提示することが意図される。この出願において用いられる表現“又は”は、排他的“又は”ではなく包含的“又は”を意味することが意図される。すなわち、その他の規定がない限り、又は文脈から明らかでない限り、“ＸはＡ又はＢを採用する”は、自然の包含的置換のうちのいずれかを意味することが意図される。すなわち、ＸがＡを採用する、ＸがＢを採用する、又はＸがＡ及びＢの両方を採用する場合は、上記の事例のうちのいずれかに基づいて“ＸはＡ又はＢを採用する”が満たされる。さらに、この出願及び添付される請求項において用いられる冠詞“ａ”又は“ａｎ”は、一般的には、その他の規定がない限り又は単数形であることが示されることが文脈から明らかでない限り、“１つ以上”を意味すると解釈されるべきである。
【００２４】
ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００２５】
ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単搬送波ＦＤＭＡ（ＳＣ−ＦＤＭＡ）ネットワーク、等に関して用いることができる。用語“ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＴＤ−ＳＣＤＭＡと、ＴＤ−ＣＤＭＡと、を含む。ｃｄｍａ２０００は、ＩＳ−２０００、ＩＳ−９５、及びＩＳ−８５６基準を網羅する。ＴＤＭＡネットワークは、グローバル移動体通信システム（ＧＳＭ）等の無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ロング・ターム・エボリューション（ＬＴＥ）は、近い将来リリースされる予定のＥ−ＵＴＲＡを用いるＵＭＴＳである。ＵＴＲＡ、Ｅ−ＵＴＲＡ、ＧＳＭ、ＵＭＴＳ、及びＬＴＥは、“第３世代パートナーシッププロジェクト”（３ＧＰＰ）という名称の組織から発行された文書において説明されている。ＣＤＭＡ２０００は、“第３世代パートナーシッププロジェクト２”（３ＧＰＰ２）という名称の組織から発行された文書において説明されている。これらの様々な無線技術及び基準は、当業において知られている。説明を明確化するため、以下においては、上記の技法の一定の側面は、ＬＴＥに適用されるときのアップリンクパイロット多重化に関して説明することができ、その結果、以下の説明の多くにおいては３ＧＰＰ用語を適宜用いることができる。
【００２６】
以下においてさらに詳細に説明されるように、フィルタに関するデジタル係数を生成するための方法及びシステムが提供される。係数の生成は、ゼロがパディングされるプロトタイプフィルタの時間領域におけるインパルス応答のフーリエ変換に依存し、例えば時間領域インパルス応答にゼロが添付される。ゼロをパディング後のプロトタイプフィルタの長さは、ＮＦＦＴ＝Ｎｓ＋Ｍ−１であるべきであり、Ｎｓは、着信信号のサンプリング長である。同様に、データは、ゼロがパディングされたプロトタイプフィルタと同じ長さまでゼロをパディングしなければならない。これで、ユニットプロトタイプフィルタは、ＮＦＦＴが行われ、希望される周波数にセンタリングされた周波数領域における帯域通過フィルタを生成するために循環シフトが後続される。循環シフトされたフィルタは、ポイント・ツー・ポイントで加えられ、ゼロがパディングされた着信信号をフィルタリングするための一組の複合デジタル係数が生成される。複合フィルタに関する基準周波数が、１つ以上のサービスプロバイダと関連づけられた１つ以上の基地局から受信されたメッセージから抽出される。複合フィルタは、典型的には周波数中継器において動作する。
【００２７】
最初に図１に関して、図１は、ここにおいて説明される様々な側面による例示的中継器に関する典型的エンクロージャを示す。図１に示されるように、ダイポールデュアルパッチアンテナ構成は、中継器電子機器とともに、コンパクトなエンクロージャ１００内に効率的に収納することができる。エンクロージャ１００の構造は、２つの方法のうちの少なくとも１つで直感的に方位を定めることができるような構造であることができる。しかしながら、信号受信感度を最大にするためにエンクロージャの配置に関する取り扱い説明をユーザーに提供することができる。典型的ダイポールデュアルパッチアンテナ構成においては、中継器電子機器用プリント基板（ＰＣＢ）とともに組み入れられたグランド面は、例えばスタンドオフ１２０を用いて２つのパッチアンテナ１１４と１１５と平行に及びこれらのパッチアンテナ１１４と１１５の間に配置することができる。多くの場合は、分離を向上させるための分離フェンス１１２を採用することができる。
【００２８】
パッチアンテナ１１４及び１１５の各々は、例えば、グランド面１１３と平行に配置することができ、及び配線板、等の上にプリントすることができ、スタンプされた金属部分がプラスチックのハウジング内に埋め込まれる構造にすることができ、又は異なる方法で製造することができる。グランド面１１３と関連づけられたＰＣＢの平面部分は、例えばＰＣＢ上における埋め込まれたトレースとして構成されたダイポールアンテナ１１１を含むことができる。典型的には、パッチアンテナ1１４及び１１５は、垂直偏波することができ、ダイポールアンテナ１１１は、水平偏波されるが、その他の実施形態を用いることも可能である。
【００２９】
重なり合わないアンテナパターンと反対の偏波の組み合わせを利用して、デュアルダイポールデュアルパッチアンテナにおける受信アンテナと送信アンテナとの間において約４０ｄＢの分離を達成することができる。特に、送信機及び受信機のうちの１つは、アクセスポイントとの通信用の垂直偏波を有する２つのデュアル切り替えパッチアンテナのうちの１つを使用し、他方、送信機及び受信機のうちの他方は、水平偏波を有するダイポールアンテナを採用する。この手法は、中継器が屋内ネットワーク信号を屋内のクライアントに中継することを意味するときに特に適用可能である。この場合は、クライアントに送信するアンテナのパターンは、典型的には、クライアントへの方向が不明であるため、一般的に無指向性である必要があり、デュアルダイポールアンテナの使用を要求する。
【００３０】
図２は、例示する中継器環境２００内における典型的信号流の例示的ブロック図を描く。示されるように、弱い受信信号（希望される受信信号）２２０は、アンテナ要素２１０によって受信することができ、利得及び遅延構成要素２０５への入力として働くことができる。利得及び遅延構成要素２０５は、弱い受信信号２２０を処理して強い信号２３０をアンテナ要素２１５からの出力として生成することができる。さらに、受信機２２５内への送信信号漏れは、弱い受信信号２２０を処理して強い信号２３０を生成するときに用いるためにアンテナ要素２１０における利得及び遅延２０５への入力として働くこともできる。受信機２２５内への送信漏れ信号は、アンテナ要素２１０及び２１５に動作可能な形で結合されたフィードバックキャンセルループ（示されていない）によって生成することができる。すなわち、フィードバックキャンセルループは、中継器によって送信される信号を生成し、この信号の一部は、送信漏れ信号として受信機２２５によって受信される。
【００３１】
図３は、典型的中継器環境３００のアンテナ要素の相互作用を示す。典型的中継器環境３００は、ダイポールアンテナ３０５と３２０とを含むプリント基板３３０を備え、パッチアンテナ３１０と３１５とをさらに含む。例示的実装においては、ダイポール／パッチアンテナの組み合わせは、送信チャネルと受信チャネルとの間の選択された分離を達成して希望されるフィードバックキャンセルの展開を可能にすることができる。図３のアンテナ構成は、ここにおいて説明されるその他の実施形態において用いることができるアンテナアレイの構成例である（ここで、例えばパッチアンテナ３１０は、１方のアンテナアレイの一部であり、パッチアンテナ３１５は、他方のアンテナアレイの一部である）。
【００３２】
図４は、典型的中継器に関する選択された分離を提供する際に用いるための他のアンテナ構成の１つの側を示す。アンテナ構成４００は、１つ以上のパッチアンテナ４１０及び４１５が取り付けられたＰＣＢ板４０５を備える。典型的にはＰＣＢの反対側にも同様の数のアンテナパッチが存在することになり、典型的にはアンテナ４１０及び４１５の偏波と比較したときに反対の又は有利な偏波方向に向けられており、従って、ＰＣＢの反対側のアンテナ間において十分な量のさらには最大量の分離が達成されることに注目すること。例示的実装においては、ＰＣＢ板４０５は、様々な構成における１つ以上のパッチアンテナ４１０及び４１５を備えることができ、２対以上のパッチアンテナ及びスーパーセットを構成する不等な数の各々のパッチアンテナを有することができる。アンテナ構成４００は、ＰＣＢの反対側における同様の数のアンテナとともにパッチアンテナ４１０及び４１５を配備することで、典型的な協力するフィードバックキャンセルループ（例えば、アンテナアレイに動作可能な形で結合されたフィードバックキャンセルループ）によって提供される分離及び増幅に協力するために送信チャネルと受信チャネル（例えば、１つ以上のパッチアンテナに動作可能な形で結合された送信アンテナと１つ以上のパッチアンテナに動作可能な形で結合された受信チャネル）との間において選択された分離を提供することができる。図４の構成は、ここにおいて説明される実施形態において用いることができるアンテナアレイの他の例を示す。
【００３３】
図５は、１つ以上のアンテナアレイ用いて信号のコンディショニング及び増幅を行うために動作可能な典型的中継器環境５００を示す。典型的中継器環境５００は、アンテナ要素５１０及び５１５を有する第１のアンテナアレイ５０５と、アンテナ要素５３０及び５３５を有する第２のアンテナアレイと、多トランシーバ回路５２０を備える処理回路５４５と、コントローラ５２５と、を備える。アンテナアレイ５０５及び５４０は、多トランシーバ回路５２０と協力することができ、多トランシーバ回路５２０は、典型的中継器環境５００の動作の一部としてコントローラ５２５と協力する。信号は、アンテナアレイ５０５及び５４０によって受信して信号のコンディショニングと処理のために処理回路５４５に渡し、次に１つ以上の協力構成要素（例えば、ＣＤＭＡ無線通信ネットワークの基地局）と通信するためにアンテナアレイ５０５及び５４０に戻すことができる。
【００３４】
例示的実装においては、アンテナアレイ５０５及び５４０は、１つ以上のアンテナアレイの協力及び１つ以上のメトリック、例えば１つ以上の相関化結果、の適用によって実現される適応フィードバックキャンセルを達成するために以下において説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎない。
【００３５】
図６は、典型的中継器環境６００の相互関係を示す。典型的中継器環境６００は、第１のアンテナ６２５と第４のアンテナ６４０とを備えるアンテナアレイ６４５と、シールドされた多トランシーバ要素６３０と、第２のアンテナ要素６６０と第３のアンテナ要素６５５とを備えるアンテナアレイ６５０と、を備える処理回路６２０を備える。動作可能な形で、第１のネットワーク６０５から発生するダウンリンク信号６１０は、処理回路６２０によって処理して第２のネットワーク６７５に通信するための中継されたダウンリンク信号６５５を生成することができ、第２のネットワーク６７５から発生するアップリンク信号は、処理回路６２０によって処理して第１のネットワーク６０５に通信するための中継されたアップリンク信号６１５を生成することができる。アンテナアレイ６４５及び６５０の構成及び方位は、処理回路６２０に提供されるコンディショニングされていないアップリンク信号及びダウンリンク信号の選択された分離を促進し及び該信号の希望される増幅及び利得を促進する。
【００３６】
例示的実装においては、典型的中継器環境６００は、１つ以上のアンテナアレイの協力及び相関化メトリックの適用によって実現される適応フィードバックキャンセルを達成するためにここにおいて説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎないことが明確に理解される。
【００３７】
図７は、様々な例示的実装による複数の帯域において動作するように構成された４アンテナ、多トランシーバデバイス７００のブロック図である。このデバイス７００は、利用可能なアンテナの可変構成を用いて２つの異なる帯域間で自由に信号を送信することができる。
【００３８】
図７に示されるように、デバイス７００は、第１の側７１０と第２の側７１２とを有するシールドされた多トランシーバ要素７０１を含むことができる。シールドされた多トランシーバ要素７０１は、第１の帯域トランシーバ７３２及び７４８と、第１の帯域ベースバンド回路７３４と、第２の帯域トランシーバ７５０及び７５４と、第２の帯域ベースバンド回路７５２と、デュプレクサ７２４、７２６、７２８、７３０、７３８、７４０、７４４、及び７４６と、ダイプレクサ７２０、７２２、７３６、及び７４２と、を含み、第１の側７１０は、アンテナ７０６と７０８とを含み、前記第２の側７１２は、アンテナ７１４と７１６とを含む。示されていないが、デバイス７００は、上述されるように、少なくとも１つの電磁分離要素（例えば、図１に示されるような分離フェンス及び／又はその他の分離要素）を含み、第１の側７１０におけるアンテナ７０６及び７０８と、第２の側７１２におけるアンテナ７１４及び７１６との間において電磁（ＥＭ）分離を提供する。
【００３９】
例として、アンテナ７０６は、信号７０２を送信又は受信することができ、アンテナ７０８は、信号７０４を送信又は受信することができ、アンテナ７１４は、信号７５６を送信又は受信することができ、アンテナ７１６は、信号７１８を送信又は受信することができる。これらのアンテナ７０６、７０８、７１４、及び７１６は、平面（例えば、パッチ）アンテナ、又は互いに有効に分離することができるその他の望ましいアンテナ型であることができる。
【００４０】
第１の帯域トランシーバ７３２は、デュプレクサ７２４、７２６、７２８、及び７３０、及びダイプレクサ７２０、及び７２２を通じてアンテ７０６及び７０８に接続され、アンテナ７０６及び７０８を介してデータを送信又は受信する。第１の帯域トランシーバ７４８は、デュプレクサ７３８、７４０、７４４、及び７４６、及びダイプレクサ７３６、及び７４２を通じてアンテ７１４及び７４２に接続され、アンテナ７１４及び７１６を介してデータを送信又は受信する。第１の帯域ベースバンド回路７３４は、第１の帯域トランシーバ７３２と第１の帯域トランシーバ７４８との間に接続されてこれらの２つの回路間での通信を提供する。
【００４１】
第２の帯域トランシーバ７５０は、デュプレクサ７２８及び７３０、及びダイプレクサ７２０及び７２２を通じてアンテ７０６及び７０８に接続され、アンテナ７０６及び７０８を介してデータを送信又は受信する。第２の帯域トランシーバ７５４は、デュプレクサ７３８及び７４０、及びダイプレクサ７３６及び７４２を通じてアンテ７１４及び７１６に接続され、アンテナ７１４及び７１６を介してデータを送信又は受信する。第２の帯域ベースバンド回路７５２は、第２の帯域トランシーバ７５０と第２の帯域トランシーバ７５４との間に接続されてこれらの２つの回路間における通信を提供する。
【００４２】
ダイプレクサ７２０、７２２は、アンテナ７０６及び７０８と、デュプレクサ７２４、７２６、７２８、及び７３０との間に接続される。これらは、例えば、アンテナ７０６及び７０８と第１の帯域トランシーバ７３２との間で及びアンテナ７０６及び７０８と第２の帯域トランシーバ７５０との間でいずれの信号が渡されるかを決定するために動作する。
【００４３】
ダイプレクサ７２０、７２２は、周波数に基づいて信号を分割し、第１の周波数帯域の信号をデュプレクサ７２４及び７２６に／から渡し、第２の周波数帯域の信号をデュプレクサ７２８及び７３０に／から渡すように構成される。
【００４４】
デュプレクサ７２６、７２８は、ダイプレクサ７２０、７２２と第１の帯域トランシーバ７３２との間に接続され、デュプレクサ７２８、７３０は、ダイプレクサ７２０、７２２と第２の帯域トランシーバ７５０との間に接続される。これらのデュプレクサ７２４、７２６、７２８、７３０は、第１及び第２の帯域トランシーバ７３２及び７５０とダイプレクサ７２０、７２２との間において送信信号又は受信信号の方向を適切に示すために第１又は第２の帯域内においてわずかに異なる周波数の信号をそれぞれルーティングする働きをする。
【００４５】
ダイプレクサ７３８、７４２は、アンテナ７１６及び７１６と、デュプレクサ７３８、７４０、７４４、及び７４６との間に接続される。これらは、例えば、アンテナ７１４及び７１６と第１の帯域トランシーバ７４８との間で、及びアンテナ７１４及び７１６と第２の帯域トランシーバ７５４との間でいずれの信号が渡されるかを決定するために動作する。
【００４６】
ダイプレクサ７３８、７４２は、周波数に基づいて信号を分割し、第２の周波数帯域の信号をデュプレクサ７３８及び７４０に／から渡し、第１の周波数帯域の信号をデュプレクサ７４４及び７４６に／から渡すように構成される。
【００４７】
デュプレクサ７３８、７４０は、ダイプレクサ７３６、７４２と第２の帯域トランシーバ７５４との間に接続され、デュプレクサ７４４、７４６は、ダイプレクサ７３６、７４２と第１の帯域トランシーバ７４８との間に接続される。これらのデュプレクサ７３８、７４０、７４４、７４６は、第１及び第２の帯域トランシーバ７４８及び７５４とダイプレクサ７３６、７４２との間において送信信号又は受信信号の方向を適切に示すために第１又は第２の帯域内においてわずかに異なる周波数の信号をそれぞれルーティングする働きをする。
【００４８】
代替の例示的実施形態においては、幾つかの実施形態においては帯域及びアンテナの一定の置換を禁止することができるため、デュプレクサ７２４、７２６、７２８、７３０、７３８、７４０、７４４、及び７４６、又はダイプレクサ７２０、７２２、７３６、及び７４２の一部は取り除くことができる。
【００４９】
その他の例示的実施形態においては、異なる帯域からの信号を一定の送信方位に特に割り当てることができる。該実施形態においては、デュプレクサ７２４、７２６、７２８、７３０、７３８、７４，７４４、及び７４６の出力は、アンテナ７０６、７０８、７１４、又は７１６に直接接続することができる。例えば、第１の帯域は、水平方位を用いて送信／受信するように指定することが可能であり、第２の帯域は、垂直方位を用いて送信／受信するように指定することが可能である。
【００５０】
上記の例示的実装は、２つ又は４つのアンテナのみを２つのトランシーバとともに用いることを示すが、これは例であるにすぎない。異なるアンテナ数又はトランシーバ数を用いる多アンテナ、多トランシーバデバイスも使用可能である。
【００５１】
さらに、上記の例示的実装は、ＰＣＢから切り離されたアンテナを示すが、代替実施形態は、ＰＣＢの反対側において直接アンテナを形成することが可能である。該実施形態においては、ＰＣＢ内の絶縁層は、アンテナをグランド面から切り離すための要求される非伝導性支持物を形成することができる。さらに、該実施形態においては、トランシーバは、ＰＣＢから外れて形成し、ＰＣＢ上での配線によってアンテナに接続させることが可能である。この種の一体化構造は、よりコンパクトなデバイスを提供することができる。
【００５２】
図８は、ここにおいて説明される典型的方法を実行することによりＦＤＤ単一帯域を展開するために動作可能でありデジタル干渉キャンセルシステムを有する典型的中継器環境８００を描く。示されるように、典型的中継器環境８００は、基地局８０２から信号を受信するために動作可能なアンテナ要素に動作可能な形で結合され及びトランシーバ８０６に入力信号を提供するデュプレクサ８０４を備え及び処理のためにトランシーバ８０６から信号を受信するために動作可能である。さらに、典型的中継器環境は、トランシーバ８０６及びデュプレクサ８１２に動作可能な形で結合されるトランシーバ８１０に動作可能な形で結合されるデジタル中継器ベースバンド構成要素８０８を備える。例示的実装においては、デュプレクサは、協力する加入者構成要素８１４（例えば、モバイルハンドセット）への信号通信を可能にするアンテナ要素に動作可能な形で結合される。
【００５３】
例示的動作においては、矢印線によって示されるように、入射信号及び送信された信号は、ここにおいて説明される典型的フィードバックキャンセル方法を実装できるような形で典型的中継器環境８００によって処理することができる。
【００５４】
図９は、ここにおいて説明される典型的方法を実行することによるデジタル干渉及びアンテナアレイを有するＦＤＤ単一帯域を展開するために動作可能な典型的中継器環境９００を示す。示されるように、典型的中継器環境９００は、デュプレクサ９０４、９０６、９１４、及び９１６と、トランシーバ９０８及び９１２と、デジタル中継器ベースバンド９１０と、を備える。デュプレクサ９０４、９０６、９１４、及び９１６は、基地局９０２及び加入者構成要素９１８から信号を受信／送信できる１つ以上のアンテナ要素に動作可能な形で結合することができる。
【００５５】
例示的動作においては、矢印線によって示されるように、入射信号及び送信された信号は、ここにおいて説明される典型的フィードバックキャンセル方法に従って典型的中継器環境９００によって処理することができる。
【００５６】
図１０は、中継器プラットフォーム、又は中継器の構成を容易にするシステム例１０００を示す。システム１０００においては、中継器構成要素１０４０の構成は、少なくとも２つの主プロトコル、すなわち、（ｉ）位置モデル及び（ｉｉ）権限付与モデルに従って進行することができる。両モデルにおいて、中継器プラットフォーム１０４０は、順方向通信リンクを通じて、基地局１０２０からネットワーク情報１０３５を受信する。（ｉ）においては、ネットワーク情報１０３５は、通信（例えば、データ、音声）に関して利用可能なサービスプロバイダのチャネルと関連づけられた一組の識別子を備えることができる。一側面においては、該ネットワーク情報１０２５は、典型的にはサービスプロバイダによって利用される無線技術と関連づけられた物理的ブロードキャストチャネル又はインバンドフレームにおいて通信することができる。例えば、ＣＤＭＡ２０００においては、ネットワーク情報１０２５は、ページングチャネルにおいて搬送することができる。他の例として、８０２．１１又は８０２．１６技術においては、管理フレームは、識別子の組を搬送することができる。システム例１０００においては、プランニング構成要素１０１０が該情報を提供することができる。モデル（ｉｉ）においては、明示の権限付与モデルが中継器プラットフォーム１０４０の構成を容易にすることができる。該権限付与は、ネットワーク情報１０３５を通じて受信することができる。
【００５７】
一側面においては、中継器プラットフォーム１０４０は、モデム構成要素１０４５と、フィルタエンジン１０５５と、を備える。さらに、プロセッサ１０６５が、該構成要素の各々に結合され、モデム構成要素１０４５及びフィルタエンジン１０５５の機能の少なくとも一部分を提供するように構成することができる。モデム構成要素は、ネットワーク情報（例えば、制御チャネル内又はオーバーヘッドチャネル内のメッセージ、又は８０２．１１ｂ／ｇ又は８０２．１６ｅ技術の場合は一組の管理フレーム）を受信し、周波数情報を抽出するために処理する。メッセージの処理は、情報を抽出するのを容易にする復調動作を含むことができ、該動作は、逆高速フーリエ変換、サイクリックプリフィックス又は関連する時間−ガード間隔のプルーニング、受信されたデータストリームを搬送するために利用される特定の方式（ＢＰＳＫ、ＱＰＳＫ、４−ＱＡＭ、１６−ＱＡＭ）に従った復調、等を備えることができる。さらに、モデム構成要素は、利用可能な搬送波又は副搬送波（例えば、副帯域）を検出するためのセル探索を行うこと、及び時間−周波数同期化を行うことができる。モデム構成要素１０４５は、当業においては様々な無線通信技術に関して知られているため、復調と関連するその他の動作を行うことも可能であることが明確に理解されるべきである。モデム構成要素１０４５は、単一の機能ブロックとして示される一方で、モデム構成要素は、冗長性を通じて通信の完全性を確保するために複数のモデムを備えることができることがさらに明確に理解されるべきである。
【００５８】
モデム構成要素１０４５は、（例えばプランニング構成要素１０１０を介して）サービスプロバイダを通じての中継器プラットフォーム１０４０の動作の管理を容易にできることが注目されるべきである。例えば、プランニング構成要素１０１０は、特定の目的、例えば、（例えば新たな基地局の追加時における）ネットワーク保守又は再構成、のために特定の位置における中継器プラットフォーム１０４０の動作を停止させることができる。さらに、プランニング構成要素は、基地局１０２０に関するネットワークロード、セクター又はセルの干渉、ユーザー層状態、又は電力割り当て方式に従って中継器の動作を管理することができる。
【００５９】
フィルタエンジン１０５５は、典型的には、受信されたネットワーク情報１０２５に従って特定の周波数の入力信号（例えば、信号入）をフィルタリングする。一側面においては、ネットワーク情報は、特定のサービスと関連づけられた通信に関して利用可能である特定の一組のチャネルを搬送することができ、該チャネル周波数がフィルタリングされて関連づけられた信号、例えば信号出１０８５が中継される。フィルタエンジン１０５５は、中継器の効率的な動作（例えば、副搬送波に基づくフィルタバンクを通じての並行した複雑さの低いフィルタリング、信号入力１０２５内にフィードバックされる信号に基づく適応等化、等）及び有利な動作（例えば、信号出１０８５の選択的利得、受信機アンテナと送信機アンテナとの間の実質的なアンテナ分離）が結果的に得られることになる様々な技術を利用することができる。フィルタエンジン１０５５は、例えばプロセッサ１０６５を介して、着信信号（例えば信号入力１０２５）がフィルタリング及び中継される一組の周波数を決定できることも明確に理解されるべきである。該決定は、様々な要因、例えば、中継器プラットフォーム１０４０の位置、セル／セクター負荷又は干渉、その他のセクター干渉、サービスが提供されるユーザー層、ネットワークの完全性、等のうちの１つ以上、に基づくことができる。
【００６０】
図１１は、本件特許明細書において説明される方法例の実装を容易にする中継器プラットフォーム例１０４０の機能上の構成要素の相互関係を示すブロック図である。示されるように、図１１は、フィードバックループキャンセル技法の一部として重み付け計算を展開し及びメトリックを適用する典型的中継器環境１１００の例示的実装を示す。典型的中継器環境１１００は、ビン１  １１０５、ビン２  １１１０、ビン３  １１１５、乃至ビンＮ １１２０によって表される１つ以上のデジタル受信及び送信プロセスビンを実行するために動作可能である。さらに、デジタル受信及び送信プロセスビンの入力及び出力は、高速フーリエ変換（ＦＴＴ）モジュール１１２５及び１１３０を備えることができ、プロセッサ１１６５は、該モジュールによって行われる計算の少なくとも一部分を実行することができる。
【００６１】
例示的動作においては、信号（例えば、信号１０２５）は、中継器環境１０４０による処理のためにアンテナ要素１１３５に入射することができる。受信された信号は、１つ以上の受信及び送信プロセスビン１  １１０５乃至ビンＮ  １１２０のＦＦＴモジュール１１２５に従って処理することができ、その出力は、乗算器１１３８、減算構成要素１１３６、及び乗算器構成要素１１３４の入力に渡すことができる。乗算器構成要素の出力は、加算器構成要素１１３２への入力として働いて選択された値をフィルタバンク動作において用いるために生成することができる。減算ブロック１１３６の出力は、乗算器１１５６への入力として働くことができ、乗算器１１５６は、減算された信号（例えば、ＦＦＴモジュール１１２５及び除算モジュール１１４４の出力の減算）を取り出して重みブロック１１５４からの計算された重みを乗じる。乗算器１１５６の出力は、乗算器１１６０への入力として働くことができ、乗算器１１６０の出力は、フィルタバンク動作において用いるための選択された値を生成する加算器１１５８への入力として働くことができる。乗算器１１５４の出力は、１つ以上のフィルタバンク動作により選択された時間遅延を処理された信号に提供することができる遅延ブロック１１６２への入力として働くこともできる。
【００６２】
遅延ブロック１１６２の出力は、ＦＦＴモジュール１１２５の出力を時間遅延に乗じる乗算器１０３８への入力として働くことができる。乗算器ブロック１０３８の出力は、加算器ブロック１１４０への入力として働くことができ、加算器ブロック１１４０の出力は、遅延ブロック１１６２からの時間遅延に加算器ブロック１１４０の出力を乗じるために動作可能な乗算器ブロック１１４２への入力として働く。乗算器ブロック１１４２の出力は、乗算器ブロック１１４２の出力を加算器ブロック１１４６の出力によって除すことができる除算ブロック１１４４への入力として働くことができ、除算ブロック１１４４の出力は、減算ブロック１１３６への入力として働くことができる。さらに、示されるように、遅延ブロック１１６２の出力は、遅延ブロック１１６２からの時間遅延に減算ブロック１１３６の出力を乗じることができる乗算器１１５０への入力として働くことができる。乗算器ブロック１１５０の出力は、フィルタバンク動作に関する選択された値を生成する加算器ブロック１１５２の入力として働くことができる。さらに、遅延ブロック１１６２の出力は、遅延ブロック出力にそれ自体を乗じる乗算器１１４８への入力として働くことができる。乗算器ブロック１１４８の出力は、加算器ブロック１１４６への入力として働くことができ、加算器ブロック１１４６の出力は、除算ブロック１１４４への入力として働くことができる。さらに、乗算器ブロック１１５６の出力は、１つ以上の逆ＦＦＴ演算を行うことができるＦＦＴブロック１１３０への入力として働くことができる。ＦＦＴブロック１１３０の出力は、アンテナ要素１１４０を用いて１つ以上の協力構成要素（例えば、加入者モジュール）に通信することができる。
【００６３】
図１２は、フィルタリングされるべき副帯域、又はチャネルのリストとしてネットワーク情報１０３５において受信することができる周波数情報例を示す。ＵＬに関するセルラーフィルタマスク（例えば、マスク１２５０）及びＤＬに関するセルラーフィルタマスク（例えば、マスク１２５５）は、Ｂ１帯域及びＢ２帯域を通過させ、マスクはＡ１帯域及びＡ２帯域をフィルタリングする。ＰＣＳの場合は、ＵＬ１２６０に関するマスクは、Ｄ、Ｅ、Ｆ、Ｃ２及びＣ５帯域を通過させ、Ａ、Ｂ、Ｃ１、及びＣ３をブロックする。ＤＬに関するマスク１２６５に関しても同様のマスキングが行われる。モデム構成要素１０４５は、プロセッサ１０６５を介して、メッセージを復調し、受信されたチャネルリストをフィルタエンジン１０５５に伝えることができる。次に、チャネル、又は副帯域のリストは、リストと関係して受信された表示に依存してフィルタリングされるか又は通過が許可され、権限が付与されたチャネル（例えば、フィルタを通じて通過することが許可されたチャネル）内に含まれる情報を以下において説明される側面に従って中継することができる。
【００６４】
図１３は、複合デジタルフィルタマスクによる入力信号の分解を示したブロック図１３００である。一般的には、ＦＤＤシステムは、点１３１０によって示されるように一定の間隔、例えば、この例において示される８０ＭＨｚ、だけ離れている対の搬送波を有する傾向がある。通信システム例の場合は、電力がアップリンク（中継器から基地局）とダウンリンク（中継器からハンドセット）との間で平衡化（ｂａｌａｎｃｅｄ）されるような形で中継器によってシステムに加えられる追加の利得量を制御することによって電力制御を管理することができる。図１３００において、例として、中継器によってＦ２ｕｐに加えられる利得量及びＦ２ｄｎへの利得量を同じ値に設定することができる。提供される例においては、Ｆ１、Ｆ３、等に関しても同じことが当てはまる。提供される例においては、アップリンク及びダウンリンクは異なる周波数で動作することができ及び内側を向いているアンテナに関するローカル散乱は屋外を向いているアンテナに関するローカル散乱と異なる可能性があるため、アップリンク及びダウンリンクに関する最大許容利得量（Ｇｍａｘ）は異なる可能性があり、従って、アップリンク及びダウンリンクに実際に加えられる利得量を平衡させるように注意する必要がある。
【００６５】
図１４は、ここにおいて説明される側面により生成されるデジタルフィルタマスク例を示す。パネル１４００は、受信された周波数情報に従って周波数チャネルをフィルタリング及び中継するための複合デジタル周波数マスクを生成するために利用できるユニット、又はプロトタイプデジタルフィルタのスペクトル応答を表示する。ユニットフィルタは、方法１６００において示されるように、時間インパルス応答をフーリエ変換することに基づく方法に従って生成される。プロトタイプフィルタ例の周波数応答の帯域幅ｖＢＷは、典型的には、中継されるべき特定の基準（ＣＤＭＡ、ＷＣＤＭＡ、ＧＳＭ、等）によって決定される。さらに、フィルタの帯域幅は、図１０及び１２と関係させて説明されるように、サービスプロバイダからのメッセージにおいて受信することができる。パネル１４００において、プロトタイプフィルタは、基準に一致し、プロトタイプフィルタを利用することができるフィルタエンジン（例えば、フィルタエンジン１０５５）は、一致する帯域幅を有する希望される信号を受信することができる位置に常駐する。
【００６６】
パネル１４００においては、帯域幅は約４ＭＨｚである。ユニット、プロトタイプデジタルフィルタの帯域幅は周波数ビン分解能Δｖ、又はタップ周波数によって制限されることが明確に理解されるべきである。
【００６７】
パネル１４４０は、プロトタイプフィルタ例に関する循環シフトされた周波数応答を示す。パネル１４００におけるユニット、プロトタイプフィルタの循環シフトインスタンスは、フィルタリングする（例えば、帯域通過させる）第２の希望される搬送波に一致させるために利用することができる。循環シフトΔｖ０は、典型的には、周波数ビン分解能によって制限され、これは、着信信号（例えば、信号１０２５）をサンプリングするために採用されるサンプリング速度、又はタップ数によって決定される。典型的には希望される複合デジタルフィルタマスク、又は一組のフィルタ係数を取得するために複数のプロトタイプフィルタが生成されて循環シフトされることが注目されるべきである。さらに、生成された循環シフトされたフィルタは、メモリ（例えば、メモリ１０７５）に格納される。通過帯域ユニット、プロトタイプフィルタのスペクトル位置は、サポートされる搬送波のリストから決定することができ、そのリストは、基地局１０２０によって伝えられるネットワーク情報１０３５内において受信することができる。パネル１４８０は、幅２×４ＭＨｚのフィルタを生成するために構成される同じ帯域幅を有する２つのプロトタイプフィルタをポイントごとに又はビンごとに合計することを示す。さらに、異種の帯域幅を有するプロトタイプフィルタは、希望される一組のデジタル係数を生成するためにポイントごとに追加することができる。
【００６８】
データストリーム、又は着信信号に対するＳＣＣＦの有利なフィルタリング動作を行うために、プロトタイプフィルタの時間領域入力応答にゼロをパディングすることに加えて、図１３に示されるように、入力信号をサンプリングすることを通じて受信されたデータがゼロパディングされることが明確に理解されるべきである。データのゼロパディングは、フィルタ応答関数がパディングされるのと同じ長さまで行うべきである。動作サンプル、又はビン、長さは以下を満たさなければならない。
【００６９】
ＮＦＦＴ≧Ｎｓ＋Ｍ−１
ここで、Ｎｓは、データサンプリングの長さであり、Ｍは、フィルタインパルス応答の長さである。データ及びフィルタ時間領域インパルス応答にゼロをパディングすることによって、時間領域において巡回畳み込みによって線形畳み込みに近似させることに典型的に関連する実質的歪みがない状態で周波数領域でのフィルタ及びデータビンの直接乗算を達成できることが注目されるべきである。
【００７０】
ここにおいて説明されるシステム及び方法の知識を効率的に表すためのシステム及び方法は、同じプロバイダにおけるメモリ内データを解決することに関して適用することもできる。該状況において、メモリ内データは、物理的記憶装置によってバックアップすることができず、例えばノードを同期化するためにＣＰＵにおけるグラフソルバーにおいて用いることができる。ここにおいて説明されるシステム及び方法は、シーングラフに関して適用することもでき、その理由は、特にこれらのシーングラフは多コアアーキテクチャにおいてより分散され、計算は体積テキスチャ等のメモリ内データ構造に直接書き込まれるためである。
【００７１】
ここにおいて説明されるシステム及び方法を実装する複数の方法、例えば、アプリケーション及びサービスがここにおいて説明されるシステム及び方法に従って知識を表現及び交換するためのシステム及び方法を用いるのを可能にする適切なＡＰＩ、ツールキット、ドライバコード、オペレーティングシステム、制御、スタンドアロン又はダウンロード可能ソフトウェアオブジェクト、等が存在する。ここにおいて説明されるシステム及び方法は、ＡＰＩ（又はその他のソフトウェアオブジェクト）の観点から、及びここにおいて説明されるシステム及び方法に従って知識交換を行うソフトウェア又はハードウェアオブジェクトの観点から、ここにおいて説明されるシステム及び方法を用いることを企図する。従って、ここにおいて説明されるシステム及び方法の様々な実装は、全部がハードウェア内に、一部分がハードウェア内で一部分がソフトウェア内に、及びソフトウェア内に存在する側面を有することができる。
【００７２】
ここにおいて用いられる「典型的な」という表現は、1つの例、事例、又は実例を示すことを目的とするものである。疑念を回避するため、ここにおいて開示される主題は、該例に限定されない。さらに、ここにおいて“典型的な”として説明されるいずれの側面又は設計も、その他の側面又は設計よりも好ましい又は有利であるとは必ずしも解釈すべきではなく、さらに、当業者に知られている同等の典型的構造及び技法を除外することを意味しない。さらに、“含む”、“有する”、“内蔵する”、及びその他の類似の表現は、発明を実施するための形態又は請求項のいずれかにおいて用いられる限りにおいて、疑念を回避することを目的として、追加の又はその他の要素を除外することなしに、開放された移行語としての表現“備える”と同様の形での包含性を有することが意図される。上述されるように、ここにおいて説明されるシステム及び方法の典型的実施形態は、様々な計算デバイス及びネットワークアーキテクチャと関係させて説明されている一方で、根本的な概念は、他の計算デバイス又はシステムとデータを同期化させることが望ましいあらゆる計算デバイス又はシステムに対して当てはめることができる。例えば、ここにおいて説明されるシステム及び方法の同期化プロセスは、計算デバイスにおける別個のオブジェクトとして、他のオブジェクトの一部として、再使用可能な制御として、サーバーからのダウンロード可能なオブジェクトとして、デバイス又はオブジェクトとネットワークとの間の“仲介者”として、分散されたオブジェクトとして、ハードウェアとして、メモリにおいて、上記のいずれかの組み合わせ、等として提供される、該計算デバイスのオペレーティングシステムに対して適用することができる。
【００７３】
従って、ここにおいて説明されるシステム及び方法の方法及び装置、又はその一定の側面又は一部分、は、有形の媒体、例えば、フロッピーディスケット、ＣＤ−ＲＯＭ、ハードドライブ、又はその他の機械によって読み取り可能な記憶媒体、において具現化されたプログラムコード（すなわち、命令）の形態をとることができ、プログラムコードが機械、例えばコンピュータ、内にローディングされて該機械によって実行されるときには、該機械は、ここにおいて説明されるシステム及び方法を実践するための装置になる。プログラミング可能なコンピュータにおけるプログラムコードの実行の場合は、計算デバイスは、一般的には、プロセッサと、プロセッサによって読み取り可能な記憶媒体（揮発性及び非揮発性メモリ及び／又は記憶要素を含む）と、少なくとも１つの入力デバイスと、少なくとも１つの出力デバイスと、を含む。例えばデータ処理ＡＰＩ、再使用可能な制御、等を用いてここにおいて説明されるシステム及び方法の同期化サービス及び／又はプロセスを実装又は利用することができる１つ以上のプログラムは、好ましいことに、コンピュータシステムと通信するための高位の手順指向又はオブジェクト指向のプログラミング言語で実装される。しかしながら、これらのプログラムは、希望される場合はアセンブリ言語又は機械語で実装することができる。いずれの場合においても、言語は、コンパイル又は解釈された言語であることができ、ハードウェア実装と組み合わせることができる。
【００７４】
ここにおいて説明されるシステム及び方法の方法及び装置は、何らかの送信媒体を通じて、例えば電気的配線又はケーブルを通じて、光ファイバを通じて、又はその他の送信形態を介して送信されるプログラムコードの形態で具現化された通信を介して実践することができ、ここで、プログラムコードが機械、例えばＥＰＲＯＭ、ゲートアレイ、プログラマブルロジックデバイス（ＰＬＤ）、クライアントコンピュータ、等によって受け取られてローディングされて実行されるときには、該機械は、ここにおいて説明されるシステム及び方法を実践するための装置になる。汎用プロセッサに実装されるときには、プログラムコードは、プロセッサと結合し、ここにおいて説明されるシステム及び方法の機能を呼び出すために動作する一意の装置を提供する。さらに、ここにおいて説明されるシステム及び方法と関係させて用いられる記憶技法は、不変的に、ハードウェアとソフトウェアの組み合わせであることができる。
【００７５】
さらに、開示される主題は、コンピュータ又はプロセッサに基づくデバイスがここにおいて詳述される側面を実装するのを制御するためのソフトウェア、ファームウェア、ハードウェア、又はその組み合わせを製造するための標準的なプログラミング及び／又はエンジニアリング技法を用いる製造システム、製造方法、製造装置、又は製造品として実装することができる。ここにおいて用いられる“製造品”（又は代替としての“コンピュータプログラム製品”）という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピーディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック）と、を含むことができるが、これらに限定されない。さらに、音声メールを送信及び受信する際又はインターネット又はローカルエリアネットワーク（ＬＡＮ）等のネットワークにアクセスする際に用いられるようなコンピュータによって読み取り可能な電子データを搬送するために搬送波を採用できることが知られている。
【００７６】
上記のシステムは、幾つかの構成要素間における相互関係に関して説明されている。該システム及び構成要素は、それらの構成要素又は指定された副構成要素、指定された構成要素又は副構成要素の一部、及び／又は追加の構成要素を含むことができ、及び上記の様々な置換及び組み合わせによることができることを明確に理解することができる。副構成要素は、親構成要素（階層）内に含めるのではなくその他の構成要素に通信可能な形で結合される構成要素として実装することも可能である。さらに、１つ以上の構成要素を結合して単一の構成要素にすることで総合的な機能を提供するか又は幾つかの別個の副構成要素に分割することができ、及び統合された機能を提供するために該副構成要素に通信可能な形で結合するための１つ以上の中間層、例えば管理層、を提供できることが注目されるべきである。ここにおいて説明される構成要素は、ここにおいては具体的に説明されていないが当業者によって一般的に知られている１つ以上のその他の構成要素と相互に関係させることも可能である。
【００７７】
上述される典型的システムに関して、開示される主題に従って実装することができる方法が、図１５、１６、及び１７の流れ図を参照することによってより良く理解されるであろう。説明を単純化する目的上、方法は、一連のブロックとして示されて説明されている一方で、幾つかのブロックは描かれてここにおいて説明されるのとは異なる順序で及び／又はその他のブロックと同時並行して生じることができるため、請求される主題はブロックの順序によって制限されないことが理解及び評価されるべきである。順次でない、又は分岐された流れが流れ図を介して示される場合は、同じ又は同様の結果を達成する様々なその他の分岐、流れ経路、及びブロックの順序を実装できることが明確に理解されるべきである。さらに、すべての例示されるブロックが以下において説明される方法を実装するために要求されるわけではない。
【００７８】
図１５は、周波数中継器を構成するための方法例を示す。一側面においては、周波数中継器は、上述されるようにプラットフォーム１０４０等の中継器プラットフォームであることができる。動作１５１０において、周波数中継器は、サービスプロバイダのアイデンティティを用いて構成される。動作１５２０において、周波数中継器は、中継器が予め構成されたアイデンティティに一致するサービスプロバイダによって送信された信号を受信する位置において配置される。動作１５３０において、予め構成されたサービスプロバイダからのメッセージが受信され、そのメッセージは、サービスによって利用されるか又はサービスに関して利用可能な一組の周波数チャネルを定義する。メッセージは、通信に関して利用される技術に従って搬送でき、例えば、Ｗｉ−Ｆｉネットワークにおいては、メッセージは一組の管理フレームを通じて通信することができ、他方、ＷＣＤＭＡ、ＣＤＭＡ、又はＬＴＥシステムにおいてはブロードキャストチャネルでメッセージを搬送できることが明確に理解されるべきである。動作１５４０において、受信された組の周波数を排他的に通過させるようにデジタルフィルタが構成される。動作１５５０において、フィルタリングされた、又は通過された周波数が中継される。
【００７９】
図１６は、一組のプロトタイプデジタルフィルタ係数を生成するための方法例１６００を示す。動作１６１０において、Ｍの長さの時間領域プロトタイプフィルタが生成される。このフィルタは、単一の周波数チャネルに適用するための要求されるフィルタの時間領域を表すフィルタに対応する時間インパルス応答である。動作１６２０において、時間領域における巡回畳み込みによって線形畳み込みに近似させるために、プロトタイプフィルタのインパルス応答にトレーリングゼロが加えられ（例えば、ゼロパディングが行われ）、このため、少なくともＮＦＦＴ＝Ｎｓ＋Ｍ−１の長さになり、ここでＮｓは、データブロックごとの時間サンプル数である。動作１６３０において、フィルタのゼロがパディングされた時間領域インパルス応答におけるＮＦＦＴ点ＦＦＴが行われる。動作１６４０において、補間された周波数領域プロトタイプフィルタが格納される。１６５０において、格納されたプロトタイプフィルタが取り出されて循環シフトされ、中継されるべき希望される周波数チャネルにセンタリングされる。１６６０において、一組の循環シフトされたフィルタが格納される。１６７０において、一組の循環シフトされたフィルタが合計されてスーパーインポーズ複合チャネルフィルタ（ＳＣＣＦ）が生成される。
【００８０】
図１７は、入力信号、又はデータストリームをフィルタリングするための方法例１７００の流れ図である。１７１０において、ＮＦＦＴに等しいアレイ長にするためにデータサンプル、又はアレイにゼロがパディングされる（上記参照）。１７２０において、ゼロがパディングされたデータにおけるＮＦＦＴ点ＦＦＴが行われる。１７３０において、周波数領域ゼロがパディングされたデータにＳＣＣＦを乗じる。
【００８１】
図１８は、周波数中継器の構成を容易にするシステム例１８００を示す。システムは、時間領域におけるＭビンインパルス応答をＮＦＦＴビン長までゼロをパディングするためのモジュール１８１０であって、Ｍ及びＮＦＦＴは正の整数であるモジュール１８１０と、Ｍビンゼロがパディングされたインパルス応答をフーリエ変換するためのモジュール１８２０と、フーリエ変換されたゼロがパディングされたインパルス応答の循環シフトを行うためのモジュール１８３０と、周波数領域において一組の循環シフトされた、フーリエ変換されたゼロがパディングされたインパルス応答を加えてフィルタマスクを生成するためのモジュール１８４０と、生成されたフィルタマスクを周波数ビン乗算器ブロックに搬送するためのモジュール１８５０と、生成されたフィルタマスクを中継されるべきＮＦＦＴ長までゼロがパディングされたデータ信号のブロックの一組の周波数領域ビンに適用するためのモジュール１８６０と、を含む。
【００８２】
ここにおいて説明されるモジュールは、ハードウェア、ソフトウェア、又はその組み合わせを備えることができることが注目されるべきである。すなわち、ここにおいて説明されるモジュールに関する構造は、機械によって読み取り可能な媒体内に格納されるソフトウェア、ハードウェア、及びハードウェアとソフトウェアの組み合わせであることができる。
【００８３】
ここにおいて説明されるシステム及び方法は、様々な図の好まれる実施形態と関係させて説明されている一方で、逸脱することなしにその他の同様の実施形態を用いることができ又はここにおいて説明されるシステム及び方法の同じ機能を実行するための修正又は追加を説明される実施形態に対して行うことができる。例えば、ここにおいて説明されるシステム及び方法の典型的ネットワーク環境は、ネットワーク化された環境、例えばピア・ツー・ピアネットワーク化された環境、に関して説明される一方で、ここにおいて説明されるシステム及び方法はそれには限定されないこと、この出願において説明される方法は、有線であるか又は無線であるかにかかわらずあらゆる計算デバイス又は環境、例えばゲームコンソール、ハンドヘルドコンピュータ、ポータブルコンピュータ、等に対して適用できること、及び通信ネットワークを介して接続されてネットワークを通じて相互に関係しているあらゆる数の該計算デバイスに対して適用できることを当業者は認識するであろう。さらに、特に無線ネットワーク化されたデバイス数が急増するのに従ってハンドヘルドデバイスオペレーティングシステム及びその他の特定用途向けオペレーティングシステムを含む様々なコンピュータプラットフォームが企図されることが強調されるべきである。
【００８４】
典型的実施形態は、特定のプログラミング言語構造に関してここにおいて説明されるシステム及び方法を利用することに関するものである一方で、ここにおいて説明されるシステム及び方法はそれには限定されず、ここにおいて説明されるシステム及び方法に従って一組のノードに関する知識を表現及び交換するための方法を提供するためにあらゆる言語で実装することができる。さらに、ここにおいて説明されるシステム及び方法は、複数の処理チップ又はデバイスにおいて又は複数の処理チップ又はデバイス全体にわたって実装することができ、格納は、同様に複数のデバイスにわたることができる。従って、ここにおいて説明されるシステム及び方法は、単一の実施形態に限定されるべきでなく、むしろ添付される請求項に従った広さ及び範囲において解釈されるべきである。
【図１】
2010521104.tif 000003
【図２】
2010521104.tif 000004
【図３】
2010521104.tif 000005
【図４】
2010521104.tif 000006
【図５】
2010521104.tif 000007
【図６】
2010521104.tif 000008
【図７】
2010521104.tif 000009
【図８】
2010521104.tif 000010
【図９】
2010521104.tif 000011
【図１０】
2010521104.tif 000012
【図１１】
2010521104.tif 000013
【図１２】
2010521104.tif 000014
【図１３】
2010521104.tif 000015
【図１４】
2010521104.tif 000016
【図１５】
2010521104.tif 000017
【図１６】
2010521104.tif 000018
【図１７】
2010521104.tif 000019
【図１８】
2010521104.tif 000020
【国際調査報告】
2010521104.tif 000021
2010521104.tif 000022